(57)【要約】【課題】回路基板に設けられ、電子カードを挿着させるための電子カードコネクタを提供する。【解決手段】本発明の電子カードコネクタは、電子カードコネクタのカバーケースに当接片及び当接パッドが設けられ、当接片及び当接パッドが各々カード退出機構の案内部材及びその固定端の上縁に当接でき、案内部材が上向きの変位を制限させ、案内部材が上下のがたつきが発生することを避け、案内部材が弛み、脱落し易いというような問題を有効に解決できる。また、スリッパー底部の案内溝は絶縁本体上の互い対応しているガイドリブに摺動的係合されることで、スリッパーを絶縁本体上に摺動させるときにより安定になり、電子カードの進退をさらに安定並びに円滑にさせる。【選択図】図２
2006172980.tif 000002
【特許請求の範囲】
【請求項１】
カード挿着スペースを有し、絶縁本体にガイドリブが突設される絶縁本体と、
絶縁本体に設置される複数の導電端子と、
スリッパー、弾性部材及び案内部材を有し、スリッパーが前後摺動可能に絶縁本体に設置され、また軌跡曲線溝が設けられ、スリッパーの底部に案内溝が設けられ、この案内溝がガイドリブに摺動的に係合し、絶縁本体と案内部材の間に弾性部材が設置され、案内部材が固定端で絶縁本体に固定され、案内部材の一端を軌跡曲線溝内に可動的に係合させるカード退出機構と、
絶縁本体に設置され、それぞれ案内部材及びその固定端上縁に当接される当接片及び当接パッドを設けるカバーケースと、を含む電子カードコネクタ。
【請求項２】
前記絶縁本体は、ベース部と、前記ベース部の両端に接続する第一のアーム及び第二のアームとを備え、前記カード挿着スペースは、ベース部と第一、第二のアームとの間に形成されてなることを特徴とする請求項１記載の電子カードコネクタ。
【請求項３】
前記絶縁本体の両アーム前端近傍の頂部に一つの固定穴が各々設けられ、前記カバーケースに二つの固定片が設けられ、前記両固定片は前記固定穴内に挿入、固定されてなることを特徴とする請求項２記載の電子カードコネクタ。
【請求項４】
前記絶縁本体上のガイドリブの両側に間隔をおいて一つの長い貫通孔が各々設けられ、前記案内部材底部の案内溝の両側に間隔をおいて一つの突起が各々設けられ、前記両突起は両長い貫通孔に摺動的に係合されることを特徴とする請求項１記載の電子カードコネクタ。
【請求項５】
これらの導電端子の一端は、絶縁本体から伸び出して溶接端が形成され、これらの導電端子のもう一端は、カード挿着スペース内に挿入してコンタクト端が形成されてなることを特徴とする請求項１記載の電子カードコネクタ。
【請求項６】
前記スリッパーの内縁は伸出され推進部を形成し、推進部はカード挿着スペース内に挿入されてなることを特徴とする請求項１記載の電子カードコネクタ。
【請求項７】
前記スリッパーの前端に突柱が突設され、絶縁本体上に凹穴が設けられ、前記突柱は凹穴内に摺動的に係合されることを特徴とする請求項１記載の電子カードコネクタ。
【請求項８】
前記カバーケースはその両側に各々伸び出して側板を形成し、両側板には各々複数の係止孔が設けられ、前記絶縁本体両側の外縁に各々係止孔と対応する複数の係止凸部が設けられ、これらの係止凸部と係止孔とは相互に係止されることを特徴とする請求項１記載の電子カードコネクタ。
【請求項９】
前記カバーケースは押片を設け、前記押片はスリッパーの上縁に抵当されることを特徴とする請求項１記載の電子カードコネクタ。
【請求項１０】
前記カバーケースの当接片の一端は自由端を形成し、斜め下方に向かってカバーケース内に挿入しており、当接片の自由端で案内部材の上縁に当接させることを特徴とする請求項１記載の電子カードコネクタ。
【請求項１１】
さらに、弾性係止片が設けられ、前記弾性係止片はスリッパー上に固定され、カード挿着スペース内に挿入していることを特徴とする請求項１記載の電子カードコネクタ。
【請求項１２】
前記弾性係止片はＬ字状シートになり、固定部と当接部を有し、前記固定部はスリッパー上に固定され、前記当接部はスリッパーの内縁に位置され、カード挿着スペース内に挿入していることを特徴とする請求項１１記載の電子カードコネクタ。
【発明の詳細な説明】
【技術分野】
【０００１】
本発明は、電子カードコネクタに関わるもので、とくに、回路基板に設けられ、電子カードを挿着させるための電子カードコネクタに関するものである。
【背景技術】
【０００２】
近年、電子カードは、既に通信処理の領域に広く応用されているため、この電子カードを受けるコネクタがこのような事情に伴い現れることになり、この電子カードコネクタは回路基板に設けられ、電子カードと回路基板とを電気的接続になるように電子カードを挿着させ、電子カードと回路基板との間の信号伝送を行う。
【発明の開示】
【発明が解決しようとする課題】
【０００３】
図1に示すように、従来の電子カードコネクタは、絶縁本体１と複数の導電端子２とカード退出機構３とを含み、絶縁本体１は、ベース部１１と、該ベース部１１の両端に接続し、平行に延出する第一のアーム１２及び第二のアーム１３とを備え、ベース部１１と第一、第二のアーム１２、１３との間に、電子カード４（例えば、ＳＤカード）を挿着するためのカード挿着スペース１４が形成される。
【０００４】
これらの導電端子２は、絶縁本体１のベース部１１に装着され、導電端子２の一端は、絶縁本体１の底部から伸び出して溶接端が形成され、回路基板と電気的に接続になるように該回路基板に溶接できる。導電端子２のもう一端は、カード挿着スペース１４内に挿入してコンタクト端が形成され、カード挿着スペース１４内に挿着される電子カードと接触して電気的接続がなされる。
【０００５】
カード退出機構３は、前後摺動可能に絶縁本体１に設けられるスリッパー３１と、帰還付勢力を与える弾性部材３２と、スリッパー３１に固定される案内部材３３とを備え、さらに、絶縁本体１に軌跡曲線溝３４が設けられ、案内部材３３の一端は軌跡曲線溝３４内に摺動的に係合され、軌跡曲線溝３４内に二段に分けて動き出来る。
【０００６】
電子カード４を挿入或は退出しようとするとき、電子カード４をカード挿入方向に沿って推進でき、よって、電子カード４はスリッパー３１を推進し、案内部材３３が軌跡曲線溝３４内に相対的に動くことにより、カード挿入或はカード退出の操作がなされ、電子カードコネクタに挿入或は退出するように電子カード４を案内する。
【０００７】
しかし、前記従来の電子カードコネクタは、その案内部材３３の一端が軌跡曲線溝３４内に摺動するとき、その案内部材３３には上下のがたつきが発生し易くなり、起伏が大き過ぎると、案内部材３３が弛み、脱落というような事情が発生してしまい、カード退出機構３ないし全ての電子カードコネクタは、正常に使用出来なくなる。
【０００８】
また、前記従来の電子カードコネクタは、このスリッパー３１が絶縁本体１に摺動可能に設けられ、電子カード４がスリッパー３１を推進して前後に移動するとき、このスリッパー３１には振動が発生し易く、電子カード４の進出がやや不安定並びに円滑でないことになり、電子カードコネクタの全体構造及び電気的接続の効果に影響を及ぼすことになる。
【０００９】
さらに、前記従来の電子カードコネクタは、電子カード４をカード挿着スペース１４内に挿入したとき、電子カード４は良い固定ができなく、カード挿着スペース１４内に安定的に挿入し難く、電子カード４と電子カードコネクタとの間に電気的接続性が悪くなる。
【００１０】
また、前記従来の電子カードコネクタは、この絶縁本体１の両アーム１２、１３の前端は自由端を形成し、電子カード４を挿入及び退出にするあたり、両アーム１２、１３は電子カード４の接触を受けることにより外拡、変形を発生することだけでなく、破裂を発生するまでに至ることもある。
【００１１】
そのため、そこで本発明者は上記事情に鑑み、積極的研究に専念し、上記の欠点を解決出来る好適な電子カードコネクタを設計出来ると望んでいる。
【課題を解決するための手段】
【００１２】
本発明の目的は、案内部材が上下のがたつきが発生することを避けるように案内部材が上向き変位することを制限でき、案内部材が弛み、脱落というような事情が発生する心配はなくなり、電子カードコネクタの構造をさらに安定させる電子カードコネクタを提供する。
【００１３】
本発明のもう一つの目的は、スリッパーを絶縁本体上に摺動させるときにさらに安定出来、電子カードの進出をさらに安定並びに円滑させる電子カードコネクタを提供する。
【００１４】
本発明の更なる一つの目的は、電子カードをカード挿着スペース内に挿入したとき、良い固定ができることで、安定的にカード挿着スペース内に挿入でき、電子カードと電子カードコネクタとの間に好適に電気的接続され、必要の使用空間を減少できる電子カードコネクタを提供する。
【００１５】
本発明の更なる一つの目的は、絶縁体の両アームの強度が増加でき、両アームに外拡、変形及び破裂を発生することが有効に避けられる電子カードコネクタを提供する。
【００１６】
前記目的を達成するために、本発明は、カード挿着スペースを有し、絶縁本体にガイドリブが突設される絶縁本体と、絶縁本体に設置される複数の導電端子と、スリッパー、弾性部材及び案内部材を有し、スリッパーが前後摺動可能に絶縁本体に設置されまた軌跡曲線溝が設けられ、スリッパーの底部に案内溝が設けられ、この案内溝がガイドリブに摺動的に係合し、絶縁本体と案内部材の間に弾性部材が設置され、案内部材が固定端で絶縁本体に固定させ、案内部材の一端を軌跡曲線溝内に可動的に係合させるカード退出機構と、絶縁本体に設置され、それぞれ案内部材及びその固定端上縁に当接される当接片及び当接パッドを設けるカバーケースと、を含む電子カードコネクタを提供する。
【００１７】
本発明の技術特徴、目的及び効果を更に理解させるため、以下の実施例で詳しく説明することによりさらに明確させるとともに、本発明の技術内容をさらに明らかに開示するように添付図面を参考する。
【発明を実施するための最良の形態】
【００１８】
図２〜図４を参照すると、本発明は、絶縁本体５と複数の導電端子６とカード退出機構７と弾性係止片８とカバーケース９とを含む電子カードコネクタを提供し、絶縁本体５はプラスチック材より作製され、ベース部５１と、該ベース部５１の両端に接続し、平行に延出する第一のアーム５２及び第二のアーム５３とを備え、第一のアーム５２及び第二のアーム５３は連続状或は断続状のアーム体であり、本実施例では、第一のアーム５２及び第二のアーム５３は断続状のアーム体である。ベース部５１と第一、第二のアーム５２、５３との間に、電子カードを挿着するためのカード挿着スペース５４が形成される。絶縁本体５上の第一のアーム５２の近傍に、長い条状のガイドリブ５５が突設され、ガイドリブ５５の両側に適当な間隔で各々長い貫通孔５６が設けられ、これらのガイドリブ５５と長い貫通孔５６は、カード挿入或はカード退出の方向に沿って適当な長さを伸出している。また、絶縁本体５の両アーム５２、５３の前端近傍の頂部に各々固定孔５７が開設される。
【００１９】
これらの導電端子６は、導電性良好かつ弾性のある金属材で作製され、間隔をおいて絶縁本体５とベース部５１に装着され、カード挿入或はカード退出の方向に沿って伸び出している。導電端子６の一端は、絶縁本体５の底部から伸び出して溶接端６１が形成され、回路基板と電気的接続になるように該回路基板に溶接できる。導電端子６のもう一端は、カード挿着スペース５４内に挿入してコンタクト端６２が形成され、カード挿着スペース５４内に挿着される電子カード（例えば、ＳＤカード）と接触して電気的接続がなされる。
【００２０】
カード退出機構７は絶縁本体５に装着され、スリッパー７１と弾性部材７２と案内部材７３を有し、スリッパー７１は絶縁本体５上の第一のアーム５２の近傍に前後摺動可能に設置され、スリッパー７１の内縁が伸出され推進部７１１を形成し、推進部７１１はカード挿着スペース５４内に挿入し、電子カードで推進部７１１を押すことにより、スリッパー７１を推進する。スリッパー７１の頂部にカード挿入及びカード退出を制御するための軌跡曲線溝７１２が設けられる。スリッパー７１の前端にテーパー状の突柱７１３が突設され、かつ、絶縁本体５上に突柱７１３に対応する凹穴５８が設けられ、突柱７１３は凹穴５８内に摺動的に係合され（図６のように）、スリッパー７１を前後摺動するときに良い案内作用を持たせる。
【００２１】
また、スリッパー７１の底部に長い条状の案内溝７１４が凹設され（図５及び図７のように）、案内溝７１４はガイドリブ５５に対応し、かつ、案内溝７１４両側の適当な間隔の場所に一つの突起７１５が各々設けられ、該両突起７１５が両長い貫通孔５６に対応している。スリッパー７１の底部の案内溝７１４及び突起７１５は、各々、互い対応しているガイドリブ５５及び長い貫通孔５６に摺動的に係合されるため、案内溝７１４とガイドリブ５５との係合、並びに、突起７１５と長い貫通孔５６との係合により、スリッパー７１を案内して安定的に前後摺動でき、スリッパー７１を絶縁本体５上に摺動させるときにより安定する。
【００２２】
弾性部材７２の両端は、各々、スリッパー７１外縁の収納溝７１６及び絶縁本体５の第一のアーム５２の収納溝５９内に収納され、弾性部材７２を絶縁本体５とスリッパー７１との間に設置させ、弾性部材７２の両端を各々絶縁本体５及びスリッパー７１に当接することで、弾性部材７２よりスリッパー７１にカード退出の方向に移動する帰還付勢力を与える。
【００２３】
案内部材７３の一端は、固定端で絶縁本体５に挿着、固定され、案内部材７３のもう一端は自由端で、軌跡曲線溝７１２内に可動に係合され、案内部材７３は軌跡曲線溝７１２内に二段に分けて動け、カード挿入及びカード退出を制御するための制御ユニットを形成することで、各々カード挿入及びカード退出の操作が達成できる。
【００２４】
弾性係止片８は弾性のある金属材で作製され、Ｌ字状シートになり、かつ固定部８１と当接部８２を有し、固定部８１はスリッパー７１上の対応の固定溝７１７内に嵌合、固定され、弾性係止片８をスリッパー７１上に固定させる。当接部８２は固定部８１の一端より伸び出して形成され、スリッパー７１の内縁に位置され、かつ、カード挿着スペース５４内に挿入しており、当接部８２の一端は自由端を形成し、当接部８２を弾性的に揺動させることができるようになる。
【００２５】
カバーケース９は金属材より作製され、絶縁本体５に設けられ、電磁干渉を防止するための好適な電磁シールドを有する。カバーケース９はその両側に各々伸び出して側板９１を形成し、両側板９１には各々複数の係止孔９２が設けられ、かつ、絶縁本体５両側の第一のアーム５２及び第二のアーム５３の外縁に各々係止孔９２と対応する複数の係止凸部５０１が設けられ、これらの係止凸部５０１と係止孔９２とは相互に係止され、カバーケース９と絶縁本体５とを係止させ一体になる。
【００２６】
カバーケース９の頂部は、プレス成形により当接片９３及び当接パッド９６を形成し、当接片９３及び当接パッド９６は案内部材７３の上方に位置され、当接片９３の一端は自由端を形成し、斜め下方に向かってカバーケース９内に挿入しており、また、当接片９３は自由端で案内部材７３の上縁に弾性的当接させ（図８のように）、かつ、当接パッド９６を案内部材７３の固定端上縁に当接するようにカバーケース９の内部に突出させ、案内部材７３が上向きの変位を制限させる。
【００２７】
カバーケース９の頂部に、さらにプレス成形により押片９４を形成し、押片９４はＬ字状になり、かつ、スリッパー７１の上方に位置され、カバーケース９はスリッパー７１の上縁に弾性的に押え（図９のように）、スリッパー７１に上下及び左右の位置限定と案内部材の作用を提供する。
【００２８】
カバーケース９の頂部は、さらにプレス成形により二つの固定片９５を形成し、両固定片９５は下方に向かってカバーケース９内に挿入して、また、絶縁本体５の両アーム５２、５３上の固定孔５７と対応して、両固定片９５は両固定孔５７内に挿入しており、上記のようにして、本発明の電子カードコネクタを形成する。
【００２９】
電子カード（図を略す）を挿入しようとするとき、電子カードはカード挿入方向に沿って推進してカード挿着スペース５４内に挿入でき、よって、該電子カードで推進部７１１を押すことにより、スリッパー７１を推進するとともに、スリッパー７１を軌跡曲線溝７１２内に相対的動きさせ、カード挿入の操作になされ、また、電子カード上の電気的パッドを導電端子６のコンタクト端６２に対応して接触させ電気的接続され、電子カードを電子カードコネクタに介して回路基板に電気的接続させる。
【００３０】
電子カードを退出しようとするとき、電子カードをカード挿入方向に沿って推進して、よって、該電子カードで推進部７１１を押すことにより、スリッパー７１を推進し、案内部材７３を軌跡曲線溝７１２内に相対的動きさせ、カード退出の操作になされ、また、弾性部材７２よりスリッパー７１にカード退出の方向に移動する帰還付勢力を与え、スリッパー７１より電子カードを連れてカード退出操作を行わせる。
【００３１】
本発明の電子カードコネクタは少なくとも以下のような利点を具える。
１．本発明のカバーケース９上に当接片９３及び当接パッド９６が設けられ、案内部材７３及びその固定端の上縁に当接でき、案内部材７３が上向きの変位を制限させ、案内部材７３が上下のがたつきが発生することを避け、案内部材７３が弛み、脱落というような事情が発生する心配はなくなり、電子カードコネクタの構造をさらに安定できる。
２．本発明のスリッパー７１は突柱７１３を突設し、突柱７１３は絶縁本体５上の対応する凹穴５８に摺動的に係合され、スリッパー７１を前後摺動するときに良い案内作用を持たせており、また、スリッパー７１の底部の案内溝７１４及び突起７１５は、各々、絶縁本体５上の互い対応しているガイドリブ５５及び長い貫通孔５６に摺動的に係合されるため、スリッパー７１を絶縁本体５上に摺動させるときにより安定になり、スリッパー７１は振動を発生出来なく、電子カードの進出をさらに安定並びに円滑させる。
３．本発明の弾性係止片８は、当接部８２で電子カードの一側に当接し、電子カード側に抵当力を与え、電子カードをカード挿着スペース５４内に挿入したとき、電子カードに良い固定を持たせ、カード挿着スペース５４内に安定的挿入でき、電子カードと電子カードコネクタとの間の電気的接続が好適になり、また、弾性係止片８はＬ字状シートになり、必要の使用空間が小さくても、電子カードを固定する機能が達成できる。
４．本発明のカバーケース９に押片９４が設けられ、スリッパー７１の上縁に押え、上下及び左右の位置限定と案内部材の作用を提供し、スリッパー７１を案内して安定的に前後摺動でき、スリッパー７１の変形を防止でき、スリッパー７１を絶縁本体５上に摺動させるときにより安定になり、電子カードの進出をさらに安定並びに円滑させる。
５．本発明のカバーケース９に二つの固定片９５が設けられ、両固定片９５は絶縁本体５の両アーム５２、５３上の固定孔５７内に挿入し固定されるため、カバーケース９より補強構造が形成でき、絶縁本体５の両アーム５２、５３の強度を増加させ、両アーム５２、５３に外拡、変形及び破裂を発生することが有効に避けられる。
【図面の簡単な説明】
【００３２】
【図１】従来の電子カードコネクタの斜視図である。
【図２】本発明の電子カードコネクタの分解斜視図である。
【図３】本発明の電子カードコネクタの斜視図である（カバーケースが組立されない）。
【図４】本発明の電子カードコネクタのもう一つ角度の斜視図である（カバーケースが組立されない）。
【図５】本発明のスリッパーのもう一つ角度の斜視図である。
【図６】本発明のスリッパーの突柱と絶縁本体の凹穴との嵌合を示す図である。
【図７】本発明のスリッパーの案内溝と絶縁本体のガイドリブとの嵌合を示す図である。
【図８】本発明の当接片が案内部材の上縁に当接することを示す図である。
【図９】本発明の押片がスリッパーの上縁に抵当することを示す図である。
【符号の説明】
【００３３】
５      絶縁本体
６      導電端子
７      カード退出機構
８      弾性係止片
９      カバーケース
５１    ベース部
５２    第一のアーム
５３    第二のアーム
５４    カード挿着スペース
５５    ガイドリブ
５６    貫通孔
５７    固定孔
５８    凹穴
５９    収納溝
６１    溶接端
６２    コンタクト端
７１    スリッパー
７２    弾性部材
７３    案内部材
８１    固定部
８２    当接部
９１    側板
９２    係止孔
９３    当接片
９４    押片
９５    固定片
９６    当接パッド
５０１  係止凸部
７１１  推進部
７１２  軌跡曲線溝
７１３  突柱
７１４  案内溝
７１５  突起
７１６  収納溝
７１７  固定溝
【図１】
2006172980.tif 000003
【図２】
2006172980.tif 000004
【図３】
2006172980.tif 000005
【図４】
2006172980.tif 000006
【図５】
2006172980.tif 000007
【図６】
2006172980.tif 000008
【図７】
2006172980.tif 000009
【図８】
2006172980.tif 000010
【図９】
2006172980.tif 000011